(57)【要約】【課題】  制御や装置を複雑にせずに、印刷中の印字一時停止状態であっても、低消費電力モードへ移行し、消費電力を削減することができるようにする。【解決手段】  印字品位低下を防止するためのディレイ処理を検知し、上記ディレイ処理が検知されると、低消費電力モードへ移行させるモード移行制御手段と、上記低消費電力モードが連続して実行されている経過時間である連続経過時間を計時する計時手段と、上記ディレイ処理を必要とする時間であるディレイ必要時間を記憶するディレイ必要時間記憶手段と、上記低消費電力モードが連続して実行されている経過時間が、上記ディレイ必要時間記憶手段に記憶されているディレイ必要時間と等しくなると、通常の消費電力モードへ復帰させるモード復帰制御手段とを有する。【選択図】  図１
2006187935.tif 000002
【特許請求の範囲】
【請求項１】
低消費電力モードへ移行可能なインクジェット式記録装置において、
印字品位低下を防止するためのディレイ処理を検知するディレイ処理検知手段と；
上記ディレイ処理検知手段によってディレイ処理が検知されると、上記低消費電力モードへ移行させるモード移行制御手段と；
上記低消費電力モードが連続して実行されている経過時間を計時する計時手段と；
上記ディレイ処理を必要とする時間であるディレイ必要時間を記憶するディレイ必要時間記憶手段と；
上記低消費電力モードが連続して実行されている経過時間が、上記ディレイ必要時間記憶手段に記憶されているディレイ必要時間と等しくなると、通常の消費電力モードへ復帰させるモード復帰制御手段と；
を有することを特徴とする記録装置。
【請求項２】
請求項１において、
上記計時手段は、
自動的に電源オフするための第１の計時手段と；
上記ディレイ処理時間を計時する第２の計時手段と；
を有する手段であることを特徴とする記録装置。
【請求項３】
インクジェット式記録装置における消費電力制御方法において、
印字品位低下を防止するためのディレイ処理を検知するディレイ処理検知工程と；
上記ディレイ処理検知工程によってディレイ処理が検知されると、上記低消費電力モードへ移行させるモード移行制御工程と；
上記低消費電力モードが連続して実行されている経過時間を、タイマによって計時する計時工程と；
上記ディレイ処理を必要とする時間であるディレイ必要時間を記憶するディレイ必要時間記憶工程と；
上記低消費電力モードが連続して実行されている経過時間が、上記ディレイ必要時間記憶手段に記憶されているディレイ必要時間と等しくなると、通常の消費電力モードへ復帰させるモード復帰制御工程と；
を有することを特徴とする記録装置における消費電力制御方法。
【請求項４】
請求項３において、
上記連続経過時間を計時する工程は、
自動的に電源オフするための第１の計時工程と；
上記ディレイ処理時間を計時する第２の計時工程と；
を有する工程であることを特徴とする記録装置。
【請求項５】
請求項３または請求項４に記載の消費電力制御方法を実行することを特徴とするプログラム。
【請求項６】
請求項３または請求項４に記載の消費電力制御方法を実行するプログラムを記憶したコンピュータ読み取り可能な記憶媒体。
【発明の詳細な説明】
【技術分野】
【０００１】
本発明は、インクジェット式記録装置、記録装置における消費電力制御方法、プログラムおよび記憶媒体に関するものである。
【背景技術】
【０００２】
近年、電力供給を受けて動作する装置は、ランニングコストを低廉化するため、または、環境破壊を防止するために、その電力消費量を低減させることが強く要求されている。たとえば、予め設定された時間が経過すると、電源をオフにする自動電源オフ機能を有する電源制御装置を備えたものがある。これによって、夜間等のように、装置の使用頻度が低い状況下で、無駄な電力消費を抑えるようにしている。また、インクジェット式記録装置においては、「Ｂｌｕｅ  Ａｎｇｅｌ」や「Ｅｎｅｒｇｙ  Ｓｔａｒ」等の省エネルギー規格に積極的に対応し始めている。
【０００３】
こうしたインクジェット式記録装置では、非動作状態または不使用状態等が一定時間継続すると、消費電力を抑制する観点から、一定の機能だけを動作させ、一部の機能を停止させる省電力モードを設けているものが多い。省電力モードは、消費電力を抑制することを目的とするものであるから、一般的に主要電源、および主要クロック等を停止させるような構成を採用している。
【０００４】
また、非動作時の消費電力をなるべく少なくするために、電源オンの状態で、所定時間、連続してどの操作スイッチも押されず、印刷動作を実行せず、しかもデータ受信がない場合、「低消費電力モード」に移行する装置が知られている（たとえば、特許文献１参照）。
【０００５】
上記「低消費電力モード」は、その装置の制御を司るマイクロコンピュータ（ＣＰＵ）を、ＳＴＯＰモードに移行させ、最低限必要な部分以外への給電を停止するモードである。
【０００６】
また、インクジェット式の記録装置では、印字品位の低下を防止するために、以下のページ間ディレイ処理、スキャン間ディレイ処理、スミアディレイ処理、ヘッド昇温プロテクト処理等のディレイ処理が知られている。
【０００７】
なお、上記「ページ間ディレイ処理」は、定着不十分で多数枚積載が困難な記録媒体について、印字モードに応じて、各ページ間で、最大約６０秒の印字待機処理を行う処理である。上記「スキャン間ディレイ処理」は、顔料黒インクと染料カラーインクとの特異性によって、境界にじみや白もや等の弊害を起こさないように、印字モードに応じて、最大約１．６秒のスキャン毎停止処理を行う処理である。上記「スミアディレイ処理」は、顔料インクを用いて印字する場合、記録媒体先端部がこすれて裏面が汚れるスミアーの発生を抑制するために、最大約４０秒の印字待機処理を行う処理である。上記「ヘッド昇温プロテクト処理」は、インクヘッドの昇温による吐出不良防止やヘッド破壊防止のために、環境温度等によって異なるが、最大約９秒のスキャン毎停止処理である。
【０００８】
これらのディレイ必要時間は、例であり、インクシステムやヘッドの構成等によっても、異なる。
【特許文献１】特開２００２−１４４６７７号公報
【発明の開示】
【発明が解決しようとする課題】
【０００９】
しかし、特許文献１記載の制御方法は、受信バッファや印刷バッファにデータがあると、低消費電力モードへ移行することができず、上記従来のインクジェット式記録装置においては、印刷開始から印刷終了まで、低消費電力モードへ移行できないので、上記印字品位の低下を防止するために、印刷中に印字を一時的に停止する処理を行っている間も、低消費電力モードへ移行できず、その間、無駄に電力を消費するという問題がある。
【００１０】
本発明は、制御や装置を複雑にせずに、印刷中の印字一時停止状態であっても、低消費電力モードへ移行し、消費電力を削減することができるインクジェット式記録装置、記録装置における消費電力制御方法、プログラムおよび記憶媒体を提供することを目的とするものである。
【課題を解決するための手段】
【００１１】
本発明は、低消費電力モードへ移行可能なインクジェット式記録装置において、印字品位低下を防止するためのディレイ処理を検知するディレイ処理検知手段と、上記ディレイ処理検知手段によってディレイ処理が検知されると、上記低消費電力モードへ移行させるモード移行制御手段と、上記低消費電力モードが連続して実行されている経過時間である連続経過時間を計時する計時手段と、上記ディレイ処理を必要とする時間であるディレイ必要時間を記憶するディレイ必要時間記憶手段と、上記低消費電力モードが連続して実行されている経過時間が、上記ディレイ必要時間記憶手段に記憶されているディレイ必要時間と等しくなると、通常の消費電力モードへ復帰させるモード復帰制御手段とを有することを特徴とする記録装置である。
【発明の効果】
【００１２】
本発明によれば、制御を複雑にすることなく、またハードウェア資源の追加によるコストアップも行わずに印字中の印字停止状態でも、低消費電力モードへ移行することができ、インクジェット式記録装置にかかる消費電力を抑制することができるという効果を奏する。
【発明を実施するための最良の形態】
【００１３】
発明を実施するための最良の形態は、次の実施例である。
【実施例１】
【００１４】
図１は、本発明の実施例１であるインクジェット式記録装置１００を示すブロック図である。
【００１５】
インクジェット式記録装置１００は、ＣＰＵ１０と、ＲＯＭ１１と、ＤＲＡＭ１２と、ＳＲＡＭ１３と、ヘッドカートリッジ１５と、ヘッドＩ／Ｆ回路１６と、駆動系１７と、駆動系Ｉ／Ｆ回路１８と、ホストコンピュータ１９と、通信用Ｉ／Ｆ回路２０と、操作パネル２１と、パネルＩ／Ｆ回路２２と、受信バッファ２３と、プリントバッファ２４と、タイマ２５とを有する。
【００１６】
ＣＰＵ１０は、インクジェット式記録装置１００の全体を制御する。ＲＯＭ１１は、ＣＰＵ１０による制御動作を実行させるためのプログラムや各種データを記憶してある。ＤＲＡＭ１２は、ＣＰＵ１０による制御動作時に、ワークエリアとして使用され、各種変数やデータを格納するのに使用され、データを保持するために電気的なリフレッシュ動作を必要としている。
【００１７】
ＳＲＡＭ１３は、省電力制御時において、ＤＲＡＭ１２のリフレッシュが停止される前に、ＤＲＡＭ１２に記憶されている変数等を待避し、格納する場合に使用され、ＤＲＡＭ１２のような電気的なリフレッシュ動作は不要である。
【００１８】
ヘッドカートリッジ１５は、記録ヘッド（インクジェットヘッド）とインクタンクとが一体となって形成され、キャリッジモータの回転によって、主走査方向に走査駆動される。ヘッドＩ／Ｆ回路１６は、ＣＰＵバスを介して送られてくる記録データに従って、ヘッドカートリッジ１５を駆動し、記録する。
【００１９】
駆動系１７は、不図示のキャリッジモータや記録媒体の搬送用モータおよび搬送用ローラなどを含む機構部の駆動系である。駆動系Ｉ／Ｆ回路１８は、駆動系１７とＣＰＵバスとを接続し、ＣＰＵバスを介して送られてくる信号に基づいて、駆動系１７を駆動する。
【００２０】
ホストコンピュータ１９は、記録装置１００に、印刷データを送信し、印刷を指示するとともに、プリンタの状態を表示することができる。通信用Ｉ／Ｆ回路２０は、外部機器であるホストコンピュータ１９と接続するための通信インタフェースを提供している。
【００２１】
操作パネル２１は、プリンタの状態を表示するＬＥＤ、ブザー、各種キー、スイッチなどを有し、操作者による電源オン、電源オフ等の指示を行うための電源スイッチをも備えている。パネルＩ／Ｆ回路２２は、操作パネル２１とＣＰＵバスとのインタフェースを制御する。受信バッファ２３は、ホストコンピュータ１９から送られてきた印刷データを格納する。プリントバッファ２４は、ヘッドカートリッジ１５が印刷するための印刷データを格納する。
【００２２】
タイマ２５は、ＣＰＵ１０の指示によって時間を計時し、ＣＰＵ１０によって指示された所定時間を計時すると、その旨を、割込み等によってＣＰＵ１０に通知する。なお、このタイマ２５は、ＣＰＵ１０が動作を停止し、低消費電力モードになった場合でも、計時用のクロック信号が供給され、このクロック信号に基づいて、計時動作を実行することができる。
【００２３】
次に、実施例１における低消費電力制御の動作について説明する。
【００２４】
図２は、インクジェット式記録装置１００において、アイドルタスクによる制御動作を示すフローチャートである。
【００２５】
なお、この処理を実行するプログラムは、ＲＯＭ１１に記憶され、ＣＰＵ１０の制御の下に実行される。
【００２６】
図３は、インクジェット式記録装置１００において、ＳＲＡＭ１３上に配置されているアイドルタスクとコントロールタスクとの間のインタフェースである変数を示す模式図である。
【００２７】
まず、最初に、このフロー制御を行なうアイドルタスクについて説明する。このアイドルタスクは、他のタスクとは異なり、タスクの優先順位が一番低く設定され、他のどのタスクも動作をしていないときに、制御が渡され、実行されるタスクである。なお、他のタスクとして、たとえば、Ｉ／Ｆ（インタフェース）タスク、プリンタエンジン部のコントロールタスク等がある。
【００２８】
インクジェット式記録装置１００では、電源投入後に、低消費電力モードへの移行を実現するために、このアイドルタスクで制御を行なう構成になっている。また、印刷中の印字一時停止時に、低消費電力モードへ移行する場合も、このアイドルタスクで制御する構成である。
【００２９】
このアイドルタスクは、最低優先順位であるので、他の全てのタスクが動作していない場合に実行され、まず、Ｓ１０で、操作パネル２１のキーが操作されていないこと、プリンタのカバーが閉じられていること、紙ジャムエラーでないこと等を判断し、いずれか１つでも条件を満たさないものがあれば、Ｓ１１で、ＣＰＵ・ＨＡＬＴモードへ移行する。
【００３０】
このＣＰＵ・ＨＡＬＴモードでは、ＤＲＡＭ１２は、リフレッシュされ、さらにクロック信号が、必要とされる各部に供給される。このために、低消費電力モードにはならないが、通常のパワーオン時の消費電力量よりも、ＣＰＵ１０がＨＡＬＴしている分だけ、電力消費が少ない。このＣＰＵ・ＨＡＬＴモードからのＣＰＵ１０の起動は、ＣＰＵ１０への各種割り込みによってなされる。その後に、その割り込みの種類に応じて、他の優先順位の高いタスクへ制御が移り、一通り処理が終了した後に、アイドルタスクへ制御が再び戻り、Ｓ１０からの処理を実行する。
【００３１】
また、条件の判断において、紙ジャムエラー状態があるが、他のエラー状態と比べて紙ジャムエラー状態は、センサ電源を切ることができないので、低消費電力モードへ移行してはならない。
【００３２】
一方、Ｓ１０で、所定の条件を満たした場合（カバーが閉じられ、操作パネル２１のいずれのキーも押されず、パワーオン状態であり、パワーオフへ移行中ではない、アイドルタスク以外の全てのタスクがＲＥＡＤＹまたはＲＵＮ状態でない等）、Ｓ１２に進み、ＣＰＵ１０への各種割り込みを禁止する。
【００３３】
次に、ヘッドカートリッジ１５のキャッピング時間やクリーニング時間等のヘッドを保護するためのプロセス制御用時間を計時するために、省電力用のタイマ２５を起動させる（Ｓ１３）。このタイマは、省電力制御を行うためには、必ず必要なものであり、このタイマを自動電源オフさせるためのタイマと、印刷中の印字一時停止時間の計時用タイマとを兼用させることによって、新たなハードウェア資源を追加せずに、実現可能になる。
【００３４】
このときに、後述のコントロールタスクによって、フラグ設定エリア４０１に、オートパワーオフフラグまたはディレイ要求フラグが設定されていれば、自動電源オフ時間または印刷中の印字一時停止時間が、スリープ時間設定エリア４０２に設定されているので、その時間をタイマ２５へ設定する。もし、スリープ時間設定エリアにフラグが設定されていなければ、タイマ２５が持つ最大値を、タイマ２５に設定する。
【００３５】
次に、Ｓ１４に進み、ＣＰＵ１０が起動するのに必要な割り込みだけを有効にし、各部へのクロック信号の供給を停止し、ＤＲＡＭ１２を、「リフレッシュモード」から「セルフリフレッシュモード」と呼ばれる低消費電力モードへ移行させる。
【００３６】
なお、上記「セルフリフレッシュモード」は、ＤＲＡＭ１２の内容を保持しつつ、ＣＰＵ１０からＤＲＡＭ１２へのアクセスを禁止するモードであり、リフレッシュモードよりも消費電力を少なくすることができるモードである。
【００３７】
これによって、低消費電力モード時に、ＤＲＡＭ１２の内容を、ＳＲＡＭ１３へ退避させ、また、ＳＲＡＭ１３からＤＲＡＭ１２に書き戻す必要がない。
【００３８】
次に、Ｓ１５に進み、ＣＰＵ１０を、「ＣＰＵ・ＳＴＯＰモード」へ移行する。これによって、プリンタの動作が停止し、低消費電力モードになる。
【００３９】
ここで、ＣＰＵ１０が、このＣＰＵ・ＳＴＯＰモードから抜けるのは、操作パネル２１のいずれかのキー・スイッチが押下されることによる割り込みが発生するか、ホストコンピュータ１９と通信用Ｉ／Ｆ２０とを結ぶＵＳＢケーブルが挿抜されることによる割り込みが発生するか、または、ホストコンピュータ１９から、印刷データやコマンド等を受信することによる受信割り込みが発生するか、省電力制御用のタイマ２５に設定された時間が経過したことによるタイマ割り込みが発生するか等による。
【００４０】
このような所定の割り込み要因によって、ＣＰＵ１０が起動されると、このＣＰＵ・ＳＴＯＰモードから抜ける。ただし、ノイズによっても、ＣＰＵ１０が起動され、ＣＰＵ・ＳＴＯＰモードから抜ける可能性があるので、Ｓ１６で、起動した直後に、その起動要因を判断する（いずれかのキーが押された、カバーがオープンされた、ＵＳＢケーブルが抜かれた、通信用Ｉ／Ｆ２０を介して受信があった（ステータス応答受信、画像データの受信）、タイマ割り込み等）。そして、上記所定の起動要因でなければ、Ｓ１５に戻り、再びＣＰＵ・ＳＴＯＰモードへ移行する。
【００４１】
このようにして、Ｓ１６で、所定の起動要因でＣＰＵ１０が起動された場合、Ｓ１７に進み、フラグ設定エリア４０１に、オートパワーオフ（自動電源オフ）要求フラグが立っているかどうかをチェックする。もし、フラグが立っていれば、Ｓ１８に進み、そのフラグを落としてから、Ｓ２２以降の処理を実行する。これによって、アイドルタスクよりも優先度の高いコントロールタスクに制御が移り、電源オフの処理を行う。
【００４２】
Ｓ１７で、オートパワーオフ要求フラグが立っていなければ、Ｓ１９へ進み、同じく、フラグ設定エリア４０１にディレイ要求フラグが立っているかどうかをチェックし、立っていなければ、Ｓ２２以降の処理を実行する。
【００４３】
この場合、ＣＰＵ・ＳＴＯＰの条件が解除された場合で、何かしらの事象が発生したと考えられ、他の優先度の高いタスクへ制御が移り、然るべき処理がなされる。一方、後述のコントロールタスクによって、ディレイ要求フラグが設定されていれば、Ｓ２０へ進み、ディレイ要求フラグをオフする。そして、Ｓ２１へ進み、コントロールタスクのＷＡＩＴ状態またはスリープ状態を解除する。
【００４４】
次に、Ｓ２２へ進み、ここで、上記プロセス制御用時間へ、ＣＰＵ１０が動作停止中に省電力用タイマ２５が計時した時間を反映させた後に、省電力用タイマ２５を停止し、Ｓ２３に進み、通常の電力モードに切り換える。これは、通常、プロセス制御用時間はＣＰＵ１０によって更新されているが、省電力制御中は割り込み禁止状態で行なわれるためＣＰＵ１０が停止し、このプロセス制御用時間は更新されないため、省電力制御中は省電力用タイマ２５によって時間を計時し、その計時した時間を省電力制御から抜ける時に反映させることでプロセス制御用時間を正確に保つために行う動作である。そして、ＤＲＡＭ１２をセルフリフレッシュモードから通常のリフレッシュモードへ切り換え、停止していたクロック信号の供給を開始することによって、通常の電力モードへの切り換えがなされる。こうして、Ｓ２４に進み、禁止していた割り込みを解除し、Ｓ１０へ戻る。ここで、割り込み禁止が解除されたことによって、他の優先度の高いタスクの動作が可能となる。
【００４５】
次に、実施例１に係る印刷中の印字一時停止処理による低消費電力制御について説明する。
【００４６】
図４は、インクジェット式記録装置１００におけるプリンタエンジン部のコントロールタスクによるページ間ディレイ制御動作を示すフローチャートである。
【００４７】
なお、この処理を実行するプログラムは、ＲＯＭ１１に記憶され、ＣＰＵ１０の制御の下に実行される。
【００４８】
まず、Ｓ４０で、ホストコンピュータ１９から、通信用Ｉ／Ｆ２０を経由して、印字命令を受信し、プリントバッファへ印字データを格納する。
【００４９】
次に、Ｓ４１で、駆動系Ｉ／Ｆ１８を通じて、駆動系１７を制御し、給紙する。ここで、ページ間ディレイ処理やスキャン間ディレイ処理、スミアディレイ処理、ヘッド昇温プロテクト処理等の印字一時停止処理を有効にするかどうかの設定は、ユーザが予め設定であるので、Ｓ４２で、ページ間ディレイ設定が有効であるかどうかを判断する。
【００５０】
もし、ページ間ディレイ設定が有効でなければ、ディレイ処理を行わず、Ｓ４６へ移行し、ディレイ設定が有効であれば、Ｓ４３へ進む。Ｓ４３では、印字モード等によってディレイ必要時間が予め決められ、最大で、約６０秒のウェイトが知られている。
【００５１】
次に、Ｓ４４へ進み、フラグ設定エリア４０１に、ディレイ要求フラグをセットする。そして、Ｓ４３で求めたディレイ必要時間をスリープ時間設定エリア４０２へ設定する。
【００５２】
次に、Ｓ４５で、コントロールタスクをＷＡＩＴ状態またはスリープ状態へ移行させることによって、アイドルタスクへ制御が遷移し、Ｓ４４で設定されたフラグや時間を、アイドルタスクが参照し、約６０秒間低消費電力モードへ移行する。
【００５３】
約６０秒後に、ＣＰＵ・ＳＴＯＰモードが解除されると、アイドルタスクが、ＷＡＩＴ中のコントロールタスクを起動し、Ｓ４６で、プリントバッファ２４にある印字データに応じて、ヘッドカートリッジ１５を駆動し、記録紙への印字を実行する。印字が終了すると、Ｓ４７へ進み、駆動系１７を制御し、記録紙を排紙する。
【００５４】
上記説明は、ページ間ディレイ制御動作についての説明であるが、従来例で述べたスキャン間ディレイ処理、スミアディレイ処理、ヘッド昇温プロテクト処理等も、上記と同様に実行することができる。すなわち、ディレイ必要時間を求めた後に、フラグとディレイ必要時間とを設定し、コントロールタスクをスリープさせることによって、印刷中の印字一時停止状態を、低消費電力モードへ移行させることができる。
【００５５】
図５は、実施例１における状態の遷移を説明する遷移図である。
【００５６】
ＣＰＵ・ＨＡＬＴモードへの移行３０１は、図２に示すＳ１０からＳ１１への移行である。このＣＰＵ・ＨＡＬＴモードで、スイッチ操作またはデータ受信等による割り込みが発生すると、３０２で示すように、アイドルタスク３１０から抜け出し、より優先度の高いタスクが実行する動作モードに移行する。また、３０３は、図２のＳ１５におけるＣＰＵ・ＳＴＯＰモードへの移行に対応し、このＣＰＵ・ＳＴＯＰモードにおいても、通常は、スイッチ操作またはデータ受信等による割り込みが発生すると、３０４で示すように、動作モードに移行するが、オートパワーオフ時間や印字一時停止のディレイ必要時間がタイムアップした場合も、動作モードへ移行する。これは、図４に示すＳ４５からＳ４６への移行に対応している。
【００５７】
また、３０５は、印刷動作中に印字一時停止状態が発生した場合に、動作モードからＣＰＵ・ＳＴＯＰモードへの移行を示し、図４に示すＳ４４、Ｓ４５と、図２に示すＳ１５に対応している。
【００５８】
なお、実施例１を、複数の機器（たとえばホストコンピュータ、インタフェース機器、リーダ、プリンタなど）によって構成されているシステムに適用するようにしてもよく、１つの機器からなる装置（たとえば、複写機、ファクシミリ装置など）に適用するようにしてもよい。
【００５９】
また、本発明の目的は、実施例１の機能を実現するソフトウェアのプログラムコードを記録した記憶媒体（または記録媒体）を、システムまたは装置に供給し、そのシステムまたは装置のコンピュータ（またはＣＰＵやＭＰＵ）が、記憶媒体に格納されたプログラムコードを読み出し実行することによっても、達成される。
【００６０】
この場合、記憶媒体から読み出されたプログラムコード自体が、上記実施例１の機能を実現することになり、そのプログラムコードを記憶した記憶媒体は、本発明を構成する。また、コンピュータが読み出したプログラムコードを実行することによって、上記実施例１の機能が実現されるだけでなく、そのプログラムコードの指示に基づいて、コンピュータ上で稼働しているオペレーティングシステム（ＯＳ）等が、実際の処理の一部または全部を行い、その処理によって、実施例１の機能が実現される場合も含まれる。
【００６１】
さらに、記憶媒体から読み出されたプログラムコードが、コンピュータに挿入された機能拡張カードやコンピュータに接続されている能拡張ユニットに備わるメモリに書込まれた後に、そのプログラムコードの指示に基づいて、その機能拡張カードや機能拡張ユニットに備わるＣＰＵ等が、実際の処理の一部または全部を行い、その処理によって、実施例１の機能が実現される場合も含まれる。
【００６２】
上記実施例によれば、インクジェット式記録装置１００において、印刷中の印字一時停止状態でも、低消費電力モードへ移行することができ、さらなる消費電力を削減することができる。
【００６３】
なお、実施例１は、インクジェットプリンタであるが、実施例１を、インクジェット式のファクシミリ装置、インクジェット式の複写機等の装置に適用することができる。
【図面の簡単な説明】
【００６４】
【図１】本発明の実施例１であるインクジェット式記録装置１００を示すブロック図である。
【図２】インクジェット式記録装置１００において、アイドルタスクによる制御動作を示すフローチャートである。
【図３】インクジェット式記録装置１００において、ＳＲＡＭ１３上に配置されているアイドルタスクとコントロールタスクとの間のインタフェースである変数の模式図である。
【図４】インクジェット式記録装置１００におけるプリンタエンジン部のコントロールタスクによるページ間ディレイ制御動作を示すフローチャートである。
【図５】実施例１における状態の遷移を説明する遷移図である。
【符号の説明】
【００６５】
１００…インクジェット式記録装置、
１０…ＣＰＵ、
１１…ＲＯＭ、
１２…ＤＲＡＭ、
１３…ＳＲＡＭ、
１５…ヘッドカートリッジ、
１６…ヘッドＩ／Ｆ回路、
１７…駆動系、
１９…ホストコンピュータ、
２０…通信用Ｉ／Ｆ回路、
２１…操作パネル、
２２…パネルＩ／Ｆ回路、
２３…受信バッファ、
２４…プリントバッファ、
２５…タイマ。
【図１】
2006187935.tif 000003
【図２】
2006187935.tif 000004
【図３】
2006187935.tif 000005
【図４】
2006187935.tif 000006
【図５】
2006187935.tif 000007